(57)【要約】  本発明は、長さが幅より大きい、長さ及び幅延長部を有し、吸収性コア素材を備えた吸収性物品、より詳細には尿失禁パッドであって、吸収材料の外側長手縁部は、三つの凸状突起（２、３、４）を形成し、一対の折り線（５）が、前記三つの突起（２、３、４）のうちの中間突起（３）の端部間に延びて、吸収性コア素材を中心部（６）と一対の長手側部（７）に分割し、それによって、吸収性物品（１）が使用される場合、折り線（５）は、薄膜腱から始まり会陰領域で終わる、使用者の股領域に沿って延びるように概して位置決めされ、それによって側部（７）は、吸収性物品（１）の横方向から見るとアーチ形を形成するように使用者に向かって中心部（６）から延びることができる吸収性物品に関する。
2009519096.tif 000002
【特許請求の範囲】
【請求項１】
長さが幅より大きい、長さ及び幅延長部を有し、吸収性コア素材を備えた吸収性物品、より詳細には尿失禁パッドであって、
前記吸収材料の外側長手縁部は、三つの凸状突起（２、３、４）を形成し、
一対の折り線（５）が、前記三つの突起（２、３、４）のうちの中間突起（３）の端部間に延びて、前記吸収性コア素材を中心部（６）と一対の長手側部（７）とに分割し、
それによって、吸収性物品（１）が使用される場合、前記折り線（５）は、薄膜腱から始まり会陰領域で終わる、使用者の股領域に沿って延びるように概して位置決めされ、それによって前記側部（７）は、前記吸収性物品（１）の横方向から見るとアーチ形を形成するように前記使用者に向かって前記中心部（６）から延びることができることを特徴とする吸収性物品。
【請求項２】
前記中間突起（３）の前記長手端部間の長さ（ｂ）は、約６０から１７０ｍｍ、好ましくは８０から１４０ｍｍ、最も好ましくは９０から１３０ｍｍであることを特徴とする請求項１に記載の吸収性物品。
【請求項３】
前記中間突起（３）は、前記吸収性物品の全長（Ｌ）の約３分の１に沿って延びていることを特徴とする請求項１又は２に記載の吸収性物品。
【請求項４】
各突起（２、３、４）は、前記吸収性物品の前記全長（Ｌ）の約３分の１に沿って延びていることを特徴とする請求項３に記載の吸収性物品。
【請求項５】
前記中間突起（３）の最大幅（ｄ）は、６０〜１５０ｍｍ、好ましくは７０〜１３０ｍｍ、最も好ましくは８０〜１２０ｍｍであることを特徴とする請求項１から４のいずれか一項に記載の吸収性物品。
【請求項６】
前記中間突起の端部の一方の幅（ｅ）によって分割された前記中間突起（３）の最大幅（ｄ）は、１１０から１８０％の間、好ましくは１１０から１５０％の間、最も好ましくは１１０から１３０％の間であることを特徴とする請求項１から５のいずれか一項に記載の吸収性物品。
【請求項７】
前記中間突起の前記最大幅（ｄ）と隣接する折り線（５）の間の距離（ｆ）は、３０ｍｍ未満、好ましくは１０から３０ｍｍの範囲、最も好ましくは１５から２５ｍｍの範囲であることを特徴とする請求項１から６のいずれか一項に記載の吸収性物品。
【請求項８】
前記吸収性物品の最小幅は、前記中間突起（３）の前記端部のいずれかで測定された幅であることを特徴とする請求項１から７のいずれか一項に記載の吸収性物品。
【請求項９】
前記中間突起の前記二つの端部の幅は、基本的に同じであることを特徴とする請求項１から８のいずれか一項に記載の吸収性物品。
【請求項１０】
前記中間突起の前記端部の前記幅は、３０から１００ｍｍ、好ましくは４０から９０ｍｍ、最も好ましくは６０から８５ｍｍの範囲であることを特徴とする請求項１から９のいずれか一項に記載の吸収性物品。
【請求項１１】
前記三つの突起（２、３、４）それぞれの最も幅広い部分の位置での前記吸収性物品の長手側部に位置決めされた３点は、直線に沿って位置決めされていることを特徴とする請求項１から１０のいずれか一項に記載の吸収性物品。
【請求項１２】
前記三つの突起（２、３、４）の前記最大幅は、ほぼ同じであることを特徴とする請求項１から１１のいずれか一項に記載の吸収性物品。
【請求項１３】
前記吸収性物品（１）の衣類面側は、前記側部（７）には接着剤がないことを特徴とする請求項１から１２のいずれか一項に記載の吸収性物品。
【請求項１４】
前記折り線（５）は前記吸収材料の圧縮によって形成されることを特徴とする請求項１から１３のいずれか一項に記載の吸収性物品。
【請求項１５】
前記折り線（５）は、前記側部（７）の前記吸収材料を前記中心部（６）の前記吸収材料から完全に分けることを特徴とする請求項１４に記載の吸収性物品。
【請求項１６】
前記折り線（５）は、前記側部（７）の前記吸収材料を前記中心部（６）の前記吸収材料から部分的にのみ分けることを特徴とする請求項１４に記載の吸収性物品。
【請求項１７】
前記吸収性コア素材は、上側吸収性コア（８）及び下側吸収（９）を含んでいることを特徴とする請求項１から１６のいずれか一項に記載の吸収性物品。
【請求項１８】
前記上側及び下側吸収性コア（８、９）の一方は、前記吸収性物品の前記中間突起（３）で測定されるときに、前記上側及び下側吸収性コア（８、９）のもう一方より幅広いことを特徴とする請求項１７に記載の吸収性物品。
【請求項１９】
前記折り線（５）は、前記上側及び下側吸収性コア（８、９）の最も幅広くないものの長手側部に沿って延びており、それによって前記側部（７）は基本的に、前記吸収性コア（８、９）の一方のみからの吸収材料を含んでいることを特徴とする請求項１８に記載の吸収性物品。
【請求項２０】
前記上側及び下側吸収性コア（８、９）の一方は、前記吸収性物品（１）の長手方向で測定されるときに、前記上側及び下側吸収性コア（８、９）のもう一方より長いことを特徴とする請求項１７から１９のいずれか一項に記載の吸収性物品。
【請求項２１】
前記中間突起（３）で測定した前記コア部（８、９）の最も幅広くないものは、ほぼ砂時計形をしていることを特徴とする請求項１８から２０のいずれか一項に記載の吸収性物品。
【請求項２２】
前記中間突起（３）で測定した前記コア部（８、９）の最も幅広いものは、ほぼ円形又は楕円形をしていることを特徴とする請求項１８から２１のいずれか一項に記載の吸収性物品。
【請求項２３】
前記側部（７）での前記吸収性物品の厚さは、前記中間突起（３）での前記中心部（６）の厚さより小さいことを特徴とする請求項１から２２のいずれか一項に記載の吸収性物品。
【請求項２４】
前記側部（７）での前記吸収性物品（１）の厚さは、前記中心部（６）の前記中間突起（３）での前記吸収性物品（１）の厚さの４０から８０％の間、好ましくは５０から７０％の間、最も好ましくは５５から６５％の間であることを特徴とする請求項２３に記載の吸収性物品。
【請求項２５】
前記側部（７）での前記吸収性物品の厚さは、前記下側吸収性コア（９）及び前記上側吸収性コア（８）の一方のみの厚さを含み、前記中心部（６）の前記中間突起（３）での前記吸収性物品（１）の厚さは、前記下側吸収性コア（９）プラス前記上側吸収性コア（８）の厚さを含んでいることを特徴とする請求項２３及び請求項１９に記載の吸収性物品。
【請求項２６】
前記側部（７）での前記吸収性物品（１）の曲げ剛性は、本明細書に記載する方法により測定すると、前記中心部（６）の前記中間突起（３）での前記吸収性物品（１）の曲げ剛性の３から２０％の間、好ましくは４から１５％の間、最も好ましくは４から１０％の間であることを特徴とする請求項１から２５のいずれか一項に記載の吸収性物品。
【請求項２７】
本明細書に記載する方法により測定した、前記側部（７）での前記吸収性物品（１）の曲げ剛性は、０．３５から１．１の間であることを特徴とする請求項１から２６のいずれか一項に記載の吸収性物品。
【請求項２８】
本明細書に記載する方法により測定した、前記中間突起（３）での前記中心部（６）での前記吸収性物品（１）の曲げ剛性は、６．５から１０．１の間であることを特徴とする請求項１から２７のいずれか一項に記載の吸収性物品。
【請求項２９】
前記折り線（５）は、前記三つの突起（２、３、４）のうちの前記中間突起（３）の前記端部間に凹状に延びていることを特徴とする請求項１から２８のいずれか一項に記載の吸収性物品。
【発明の詳細な説明】
【技術分野】
【０００１】
本発明は、所定の長さ及び所定の幅拡張部を有し、前記長さが前記幅拡張部より広く、吸収性コア材料を備えた吸収性物品に関する。
【背景技術】
【０００２】
吸収性物品は、生理用ナプキン、パンティライナー、尿失禁パッド又は同種の物品あってもよい。本発明は、尿失禁パッドに対して特に有用である。
【０００３】
上記種類の吸収性物品は、尿及び血液などの体液を吸収することを意図している。この目的のため、吸収性物品は着用者の身体の近くに身に付けられ、通常は着用者の下着に配置される。着用者の快適性及び吸収性物品の最も効率的な使用のためには、吸収性物品が着用者の身体に良好に適応されることがそれ故に重要である。
【０００４】
可撓性物品は通常、容易に圧縮可能であることから使用者の身体に適合する利点を有する。しかし、可撓性物品は、例えば使用者の太腿部の間での圧縮後に、その間の空間を十分に充填することができず、それによって前記物品の長手縁部における望ましくない漏洩につながる不都合を有する可能性がある。比較的可撓性のある製品はさらに、圧縮により前記物品が一連の折り線又は折り目を有することにつながる傾向がある。
【０００５】
より剛性のある吸収性物品は、その構造的完全性をより可撓性のある製品より良く維持することもできるが、より不快であるとして認識される欠点を有する可能性がある。また、より剛性のある吸収性物品は、圧縮されると、実質的に１本の線に沿ってのみ圧縮されて、より可撓性のある製品と同様の漏洩の問題に曝される可能性のあるV字形体を生じさせる可能性がある。使用の際、このタイプの製品は普通、形状が使用中に使用者の太腿の間の逆Ｖ字形に対応するように折り畳まれる。
【０００６】
尿失禁パッドの形の知られている吸収性物品は、平行な長手縁部を有する細長い形状に形成される。製品の中心部の長手縁部は、互いに向かって吸収性物品の長手端部を引っ張るように機能する弾性材料を備えており、それによって着用者の身体に一致することを意図した長手方向カップ形体につながる。さらに、弾性材料を有する長手縁部は、少なくとも吸収性物品の中心部で、その横方向にもアーチ形体を形成するように上向きに延びる。この特徴は、体液の漏洩の危険性を減少させるように働く可能性がある。
【０００７】
多くの使用者に対して十分機能するが、上記吸収性の何人かの使用者は、弾性材料の領域が体液を吸収するときに、湿った感じがすると報告している。さらに、製品の側部での漏洩の危険性があることもある。
【０００８】
特許文献１は、生理用ナプキン、尿失禁パッド、パンティライナーなどの吸収性物品について開示している。この吸収性物品は、上側吸収剤、及び上側吸収剤の裏側に積層されたより小さい寸法の下側吸収剤を有する吸収剤を含んでいる。上側吸収剤上の下側吸収剤に対応する部分に、溝が形成されている。したがって、上側吸収剤が、下側吸収剤上に位置決めされているその部分で上向きに突出することがある。したがって、製品はその横方向に下向きのアーチ形を形成する可能性がある。
【０００９】
したがって、着用者の身体に適合することができ、湿度及び／又は漏洩の問題を制限する、吸収性物品、より詳細には尿失禁パッドの必要性がある。
【特許文献１】特開２００２−２３８９４８号公報
【特許文献２】欧州特許出願公開第０７８１５３７号明細書
【特許文献３】米国特許第５７９５３４４号公報
【特許文献４】欧州特許出願公開第１３３２７４２号明細書
【特許文献５】国際公開第００／３２１４６号パンフレット
【発明の開示】
【発明が解決しようとする課題】
【００１０】
本発明の目的は、着用者の身体に十分適合し、あらゆる漏洩の問題を小さくする吸収性物品を提供することである。
【課題を解決するための手段】
【００１１】
さらに、吸収性物品は尿失禁パッドとして適切であることが好ましい。
【００１２】
上記目的は、吸収性物品、より詳細には長さが幅より大きい、長さ及び幅延長部を有し、吸収性コア素材を備えた尿失禁パッドに関する本発明により達成され、
前記吸収材料の外側長手縁部は三つの凸状突起を形成し、
一対の折り線が、前記三つの凸状突起のうちの中間突起の端部間に延びており、
吸収性コア素材を中心部と一対の長手側部とに分割され、
それによって吸収性物品が使用される場合、折り線は、薄膜腱から始まり会陰領域で終わるよう、使用者の股領域に沿って延びるように概して位置決めされる。よって、側部は吸収性物品の横方向から見るとアーチ形を形成するように使用者に向かって中心部から延びることができる。
【００１３】
本発明の吸収性物品の三つの突起形状は、第―と中間の突起との間、及び中間と第三の突起との間に形成されている二つの（凹状形の）窪みが、使用者の薄膜腱及び使用者の会陰領域への定置に適切であるという点において、着用者の身体に十分調節されている。さらに、凹状折り線により、吸収性物品の側部は、股領域の前部及び後部に位置決めされている、第一及び第三の突起での製品の幅延長部に不必要に影響を与えることなく、薄膜腱と会陰領域との間の股領域に沿って使用者の身体に適合するように折り畳むことが可能になる。したがって、着用者の身体への適合は普通、最も望ましい吸収性物品の中心領域で行われる。同時に、吸収性物品の前部及び後部領域は、中間領域の適合によって悪影響を及ぼさない。
【００１４】
折り線は、側部が中心部から使用者に向かって延びて、吸収性物品の横方向から見てアーチ形を形成することができるようになっている。吸収性物品のこのような構成は、製品からの漏洩を少なくするために、最も有利であると考えられる。しかし、側部が別の方法では使用者から離れて中心部から延びる可能性があることが排除されない。このような構成では、使用者の身体の適合が達成され、また漏洩の問題を少なくすることに貢献する。
【００１５】
吸収性物品の三つの突起形状は、吸収性物品の製造のための出発材料の十分な使用を行うように適合させることができるという追加の利点を有する。このような出発素材は普通、一定の幅を有するウェブ形状をしている。三つの突起形状では、製造中の材料廃棄は比較的低く保つことができ、吸収性物品の費用効率及び環境配慮に貢献する。
【００１６】
有利には、折り線は、使用者の身体の適合をさらに良くし、側部の折り畳みを容易にして所望のアーチ形を形成するように、三つの突起の中間突起の端部間に凹状に延びることができる。
【００１７】
着用者の股領域との優れた適合を得るため、中間突起の長手端部間の長さは、約６０から１７０ｍｍ、好ましくは８０から１４０ｍｍ、最も好ましくは９０から１３０ｍｍの間であってもよい。
【００１８】
有利には、中間突起は吸収性物品の全長の約３分の１に沿って延びることができる。また、前及び後突起はその後、全長の約３分の１に沿って延び、それによって各突起が吸収性物品の全長の約３分の１に沿って延びることが好ましい。
【００１９】
別の方法では、中間突起の長さは、前部及び後部突起の長さと異なっていてもよい。この場合、前部及び後部突起の長さは同じであることが好ましく、それによって製品は横方向から見て対称である。
【００２０】
中間突起の最大幅は、６０から１５０ｍｍ、好ましくは７０から１３０ｍｍ、最も好ましくは８０から１２０ｍｍの間であってもよい。さらに、前記中間突起の端部の一方の幅によって分割された中間突起の最大幅は有利には、１１０から１８０％、好ましくは１１０から１５０％、最も好ましくは１１０から１３０％の間であってもよい。有利には、中間突起の最大幅と隣接する折り線の間の距離は、３０ｍｍ未満、好ましくは１０から３０ｍｍの範囲、最も好ましくは１５から２５ｍｍの範囲である。
【００２１】
上に記載したような尺度及び割合が、着用者の身体への特に優れた調節を行うことが分かった。
【００２２】
吸収性物品の最小幅は、中間突起の端部の両方で測定された幅であることが好ましい。したがって、吸収性物品の最小幅は、折り線が開始する、及び／又は始点となる幅である。この構成は、使用者の身体、例えば薄膜腱及び会陰領域に必要な空間を与えるために有利である。このような状況において、最小幅は吸収性物品の必要不可欠な長さに沿った幅のことを示す。製品の幅は、製品の端部でいくらか狭くなることが可能であり、ここで吸収性物品幅は連続して小さくなる可能性がある。
【００２３】
中間突起の端部の幅は有利には、３０から１００ｍｍ、好ましくは４０から９０ｍｍ、最も好ましくは６０から８５ｍｍの範囲であってもよい。適切には、中間突起の二つの端部の幅が基本的には同じであってもよい。
【００２４】
有利には、三つの突起の最大幅はほぼ同じである。この特定の構成により、着用者の身体への優れた調節が行われる。さらに、製造の観点から有利である。吸収性物品を製造する出発素材はほぼバンド形をしているので、バンドの幅は、三つの突起の幅である製品の最大幅に一致するように選択することができる。したがって、極めて少量の材料が、製品の製造中に消費される。
【００２５】
しばしば、吸収性物品は使用者の下着への取り付けを可能にするように、その衣類に面する側に接着剤を備えている。有利には、吸収性物品の衣類に面する側は、側部には接着剤がなくてもよい。したがって、側部の折り畳みは、下着の形状又は弾性によって制限されない。
【００２６】
折り線は普通、側部の折り畳みを容易にするように設けられた線である。有利には、折り線は吸収材料の圧縮によって形成することができる。圧縮線は、例えば、吸収性コアのみを通して、吸収性コア及び表面シート材料を通して、又は吸収性コア、表面シート材料及び裏面シート材料を通して、全体的に又は部分的に延びていてもよい。
【００２７】
折り線は、側部の吸収材料を中心部の吸収材料から完全に分けることができる。
【００２８】
別の方法では、折り線は、側部の吸収材料を中心部の吸収材料から部分的にのみ分けることができる。
【００２９】
吸収性コア素材は、上側吸収性コア及び下側吸収性コアを含むことができることが好ましい。本明細書で使用される「上側」は、使用の際に着用者により近くに位置決めされることを意図した製品の方向に関し、本明細書で使用される「下側」は、その衣類に面する側により近くの製品の方向に関する。
【００３０】
有利には、上側及び下側吸収性コアの一方は、吸収性物品の中間突起で測定されるときに、もう一方より幅広くてもよい。この構成では、側部は少なくとも、コア部の最も幅広いもののみからの吸収材料を含む領域を含んでいる。これは、使用の際、吸収性物品の側部の折り畳みに有益であると考えられる。
【００３１】
一実施形態では、下側吸収性コアは、吸収性物品の中間突起で測定されるときに、上側吸収性コアより幅広くてもよい。この構成では、側部は少なくとも、下側吸収性コアのみからの吸収材料を含む領域を含んでいる。これは、使用の際、吸収性物品の側部の上向き折り畳みに有益であると考えられる。
【００３２】
上側及び下側吸収性コアの一方は、吸収性物品の中間突起で測定されるときに、もう一方より幅広くてもよく、折り線はコア部の最も幅広くないものに沿って延びることができ、それによって側部は基本的に、コア部の最も幅広いもののみからの吸収材料を含んでいることが好ましい。したがって、側部の制御折り畳みが容易になる。
【００３３】
下側吸収性コアが、吸収性物品の中間突起で測定されるときに、上側吸収性コアより幅広い場合、折り線は上側吸収性コアの長手側部に沿って延びることができることが好ましく、それによって前記側部は基本的に、第二の吸収性コアのみからの吸収材料を備える。
【００３４】
側部は折り線に沿って折り畳むことができ、折り線の間の吸収性物品の中心部は比較的に円滑に保つことができることが普通は望ましいことが分かる。これは、中心部構造が、側部によって行われる、身体への調節によって比較的影響を受けないままにされるという上記効果に貢献する。したがって、吸収性物品の安定性及び安定位置決めを保証することができる。
【００３５】
有利には、上側及び下側吸収性コアの一方は、吸収性物品の長手方向で測定されるときに、下側吸収性コアより長くてもよい。この構成では、最大量の吸収性コア素材が、製品の中心近くに提供される。さらに、製品の長手端部は比較的薄く、これは使用の際に、製品の快適性及び審美性に貢献する。
【００３６】
吸収性コアの一方は、ほぼ砂時計形（また、「犬の骨形」とも呼ぶ）をしていることが好ましい。この形状はまた、着用者の脚間に適合するのによく適しているので、吸収材料の中心部に特に適切である。したがって、第一の凸状突起、凹状折り線、及び第三の凸状突起は共に、砂時計形を形成することができる。
【００３７】
有利には、吸収性コアのもう一方は、全体的に円形又は楕円形である。この形状により、製品の凸状中間突起を、下側吸収性コアの円形又は楕円形縁部によって形成することが可能になる。
【００３８】
有利には、側部での吸収性物品の厚さは、中間突起での中心部の厚さより小さい。したがって、側部は中心部より容易に折り畳み可能であり、それによって使用の際の吸収性物品の所望の形状が達成される。
【００３９】
この場合、側部の厚さは中間突起での中心部の厚さの４０から８０％、好ましくは５０から７０％、最も好ましくは５５から６５％の間であることが適切であることが分かった。
【００４０】
中心部の厚さは、３から１７ｍｍ、好ましくは５から１５ｍｍ、最も好ましくは９から１４ｍｍの範囲であってもよい。
【００４１】
側部の厚さは、２ｍｍより大きい、好ましくは４ｍｍより大きい、最も好ましくは９ｍｍより大きくてもよい。有利には、側部の前記厚さは、２から１２ｍｍ、好ましくは４から１０ｍｍ、最も好ましくは９から１４ｍｍの範囲であってもよい。
【００４２】
上側及び下側吸収性コアを使用する場合、前記側部の厚さは、下側又は上側吸収性コアの厚さと同じであってもよく、中間突起の中心部の厚さは、下側吸収性コアの厚さプラス上側吸収性コアの厚さと同じであってもよい。
【００４３】
その厚さに関係なく、側部の曲げ剛性は中心部の曲げ剛性より小さいことが好ましい。より詳細には、側部の曲げ剛性は有利には、中間突起の中心部の曲げ剛性より小さくなっているべきである。
【００４４】
側部の曲げ剛性は、中間突起の中心部の曲げ剛性の３から２０％、好ましくは４から１５％、最も好ましくは４から１０％の間になっているべきであることが分かっている。側部及び中心部の曲げ剛性は、以下に記載するような方法により測定される。
【００４５】
本明細書で測定するような側部の曲げ剛性は、０．３５から１．１の間であってもよい。
【００４６】
本明細書で測定するような中間突起の中心部の曲げ剛性は、６．５から１．１の間である。
【００４７】
本発明を、例として、添付の図面を参照して以下により詳細に説明する。
【発明を実施するための最良の形態】
【００４８】
本発明を以下に、添付の図面に示すいくつかの実施形態を参照してより詳細に説明する。
【００４９】
用語「吸収性物品」は、尿及び月経液などの身体浸出液を吸収及び含むように、着用者の皮膚に対して配置される物品を意味する。本発明は、主に使い捨て吸収性物品のことを意図し、これは洗濯すること、あるいは使用後に吸収性物品として復元又は再利用することは意図していない吸収性物品を意味する。
【００５０】
図１は、尿失禁パッド１の形の吸収性物品を示している。その最も一般的な形では、吸収性物品は、吸収性コアと吸収性コアを覆うカバーとを備えている。カバーは、吸収性コアの着用者面側に液体透過表面シートと、吸収性コアの衣類面側に液体遮断裏面シート材料とを備えている。
【００５１】
様々な層シートの一般的な構成に関する詳細を後に、図４に関してより詳細に説明する。
【００５２】
図１の吸収性物品１は、全長（Ｌ）が最大幅（ｄ）より大きい、長さ及び幅延長部を有する。吸収性物品１は、当技術分野では従来のことであるように、吸収性コア素材を備えている。
【００５３】
図１に示すように、吸収材料の外側長手縁部は、三つの凸状突起２、３、４、すなわち第一の突起２、中間突起３、及び第三の突起４を形成する。一対の折り線５は、前記三つの突起２、３、４のうちの中間突起３の長手端部間に凹状に延びて、吸収性コア素材を中心部６及び一対の長手側部７に分割する。
【００５４】
吸収性物品１が使用される場合、折り線５は、薄膜腱から始まり会陰領域で終わる、使用者の股領域に沿って延びるように概して位置決めされ、それによって側部７は、吸収性物品１の横方向から見るとアーチ形を形成するように使用者に向かって中心部６から延びることができる。
【００５５】
図示した実施形態では、三つの突起２、３、４の長さａ、ｂ、ｃはほぼ等しく、製品の全長Ｌの約３分の１である。この構成で、製品は対称であり、したがって前端部として第一の突起２及び第三の突起４のいずれかで使用することができる。
【００５６】
中間突起３の長手端部間の長さｂに関して、図示した実施形態では、約１１ｃｍであり、製品の全長は約３３ｃｍである。上に説明したように、これらの長さは適切な間隔内で変わってもよい。製品の全長は、例えば１５から４５ｃｍの間で変わることができる。
【００５７】
突起の端部は、吸収材料の長手縁部のそれぞれの凸状部の端部を意味することが分かる。したがって、中間突起の長さｂは、三つの凸状突起の間に形成された凹状部の中間から測定される。突起間の凹状部は、使用者の身体、例えば使用者の薄膜腱及び会陰領域に対応するように機能するので、凹状部間の距離、したがって中間突起の長さは、この解剖学的距離に適合するようにするべきであることが好ましい。
【００５８】
図示する実施形態では、中間突起（３）の最大幅（ｄ）は約１０ｃｍである。さらに、この場合、全ての三つの突起の最大幅（ｄ）は同じである。中間突起の端部の一方で測定したときの物体の幅（ｅ）は、この場合、製品の最小幅であるが、約８ｃｍである。
【００５９】
（例示した寸法から、本発明の側部７は一般に「ウィング」又は「フラップ」と呼ばれる、下着への締付を保証するために従来技術製品に設けられている構造とは異なることが分かる。ウィング又はフラップは普通、着用者の下着の周りに折り畳まれ、これに締め付けられるような寸法をしている。）
【００６０】
図１に示すように、二本の折り線５は、中間突起３の端部間で吸収性物品に沿って凹状に延びて形成されている。折り線は、中心部６に対して、コア部の側部７の折り畳みを容易にすることを意図している。
【００６１】
図示した実施形態では、折り線５は吸収材料の圧縮によって形成される。この場合、圧縮線５は、圧縮線を形成する窪み又は溝を提供するような、しかし側部７の吸収材料を中心部６の材料から完全に分離させるほど深くないような（図２参照）、吸収材料内の深さまで延びている。したがって、圧縮線はこの場合、側部７の吸収材料を中心部６の吸収材料から部分的に分離させるだけである。この実施形態では、吸収材料によって吸収される体液はしたがって、側部７から中心部６に向かって、又はその逆で吸収材料内を進む可能性がある。
【００６２】
しかし、圧縮線が、側部７の吸収材料を中心部６から完全に分離させるように、吸収材料全体を通して延びることができる他の実施形態も可能である。
【００６３】
さらに、圧縮線が吸収材料の深さと同じ深さまで延びているかどうかに関わらず、圧縮線は、図示する実施形態と同様に、連続していてもよく、又は非連続であってもよい（破線又は点線）。
【００６４】
吸収材料の流体分配、及び側部が折り畳む所要の傾向を考慮して、圧縮線の異なる代替形態の選択を行うことができる。
【００６５】
製品内の流体分配は、流れに対する一時的バリアとして圧縮線を使用することによって遅らせることができる。
【００６６】
圧縮線は、吸収性コア内のみに作ることができる、又は表面シート及び／又は裏面シートなどの製品の他の構成部品内に延びることができる。
【００６７】
圧縮線を折り線として有用であるようにするために、圧縮線は吸収性コア素材内に延びることができることが好ましい。有利には、圧縮線は、コア部深さの少なくとも２０％、好ましくは少なくとも５０％、最も好ましくは少なくとも７５％に相当する深さまで延びることができる。
【００６８】
この文脈で使用することができる圧縮線の例は、特許文献２、特許文献３、特許文献４、及び特許文献５で見ることができる。
【００６９】
図示した実施形態の吸収性コア素材は、上側吸収性コア８及び下側吸収性コア９を備えている。下側吸収性コアは、上側吸収性コアより、吸収性物品の衣類面側に近い。
【００７０】
図１では、上側吸収性コア８（実線）及び下側吸収性コア９（破線）の形状が示されている。この場合、上側吸収性コア８は砂時計形をしており、下側吸収性コア９はほぼ楕円形である。
【００７１】
下側吸収性コア９はしたがって、吸収性物品の中間突起で測定したときに、上側吸収性コア８より幅広い。より詳細には、下側吸収性コアの楕円の最も幅広い部分が、上側吸収性コア８のくびれと一致して位置決めされている。したがって、吸収性物品の中間凸状突起３は下側吸収性コア９によって形成され、第一の凸状突起２及び第二の凸状突起４が、上側吸収性コア８の砂時計形状の二つのより幅広い部分によって形成されている。
【００７２】
折り線５はこの場合、砂時計のくびれの形状に沿うように、上側吸収性コア８の長手側部に沿って延びている。したがって、側部７は第二の吸収性コア８のみからの吸収材料を含んでいる。
【００７３】
さらに、上側吸収性コア８は、吸収性物品１の長手方向で測定したときに、下側吸収性コア９より長い。したがって、吸収性物品の中心部６の中心領域は、最大量の吸収材料を含むこととなり、これは、この領域が体液の影響を受ける一般的な領域であるので適切である。吸収性物品の前及び後領域は、中心領域よりいくらか薄く、このことが不必要にかさばることない快適な製品に貢献している。
【００７４】
上側吸収性コア８より幅広く、基本的に側部７を形成する下側吸収性コア９は、使用の際、側部７が着用者に向かって上向きに延びるように形成される大きな傾向を製品が有するという追加の利点がある。
【００７５】
図示した実施形態では、側部７での吸収性物品の厚さは、中間突起３での中心部６の厚さより小さい。というのは、側部７は下側コア部９のみの吸収材料を含んでおり、中間突起３の中心部６は上側コア部８及び下側コア部９からの材料を含んでいるからである。
【００７６】
中間突起３での中心部６の厚さより小さい側部７の厚さは、中心部６ではなく、側部７が折り畳み及び変形する傾向に貢献している。厚さの所望の差は、他の実施形態では、一つの吸収性コアだけを使用して、又は三つ以上のコア部を使用して得ることができる。
【００７７】
例示した実施形態では、中心部６の厚さは約１１ｍｍであり、ウィングの厚さは約７ｍｍであるが、これらの寸法はもちろん、異なるタイプ又は寸法の製品に対して変えることができる。
【００７８】
中心部６ではなく側部７が折り畳み変形するように、使用の際に吸収性物品１の変形を調節するために、中間突起３の中心部６に対する側部７の曲げ剛性が重要であることが分かった。
【００７９】
より詳細には、側部７及び中心部６での吸収性物品の断面方向で測定したときの曲げ剛性は、変形が主に側部７で起こる場合に製品を提供するために、関連性があることが分かった。
【００８０】
本明細書で使用される「曲げ剛性」は、本出願で後に説明する、曲げ剛性試験によって得られる尺度のことを意味する。
【００８１】
有利には、側部７での吸収性物品１の曲げ剛性は、上に記載したように、吸収性物品（１）の中間突起（３）での中心部（６）の曲げ剛性の３から２０％までの間である。曲げ剛性は、本明細書に記載するような方法により測定される。図示した実施形態では、前記曲げ剛性は、最大負荷尺度を使用した場合に、約８．７％である。
【００８２】
図３及び４は、本発明により、吸収性物品の第二の実施形態を略図的に示している。第二の実施形態は、上側コア部８が下側コア部９より幅広いという点において、図１及び２の実施形態と異なる。さらに、上側コア部８は下側コア部９より短い。図示した実施形態では、上側コア部８はほぼ楕円形であり、下側コア部９はほぼ砂時計形である。この実施形態は、側部７が製品の上部から始まるという審美的利点を有する。折り線５は、この場合圧縮線であるが、上側コア部８内に形成され、下側コア部９の周面に沿って延びている。
【００８３】
コア部の異なる構成とは別に、図３及び４に示す第二の実施形態は、図１及び２に関して記載した第一の実施形態と同様であり、そのため、第一の実施形態に関して上に記載したような特徴及び利点は、第二の実施形態にも当てはまる。
【００８４】
図５及び６では、図１及び２の吸収性物品の様々な構成部品がより詳細に示されている。（同様の特徴を、図３及び４に示す実施形態に加えることができる。）吸収性物品は、上側吸収性コア８及び下側吸収性コア９からなる吸収性コアと、吸収性コアを覆うカバーとを備えている。前記カバーは、吸収性コアの着用者面側に液体透過表面シート１０３と、吸収性コアの下着面側に液体遮断裏面シート材料１０４とを備えている。
【００８５】
表面シート１０３は、吸収性物品の内側カバーを形成し、使用の際に、着用者の皮膚に直接接触して配置される。表面シートは、不織材料、例えば、スパンボンド、メルトブローン、カード、ハイドロエンタングルド、ウェットレイドなどを含むことができる。適切な不織材料は、木材パルプ又は綿繊維などの天然繊維、ポリエステル、ポリエチレン、ポリプロピレン、ビスコースなどの人工繊維、又は天然及び人工繊維の混合物から構成することができる。内側液体透過性カバー材料の別の例は、多孔質発泡体、穿孔プラスチックフィルム、穿孔フィルム間の積層体、及び不織布などである。内側液体透過性カバー材料に適切な材料は、柔らかく、皮膚に刺激がなく、体液、例えば尿又は月経液がすぐに透過するようになっているべきである。内側液体透過性カバーはさらに、吸収性物品の異なる部分で異なっていてもよい。
【００８６】
裏面シート材料１０４は、薄いプラスチックフィルム、例えばポリエチレン又はポリプロピレンフィルム、液体不透過性材料で覆われた不織材料、液体透過に耐える疎水性不織材料、又はプラスチックフィルム及び不織材料を含む積層体であってもよい。裏面シート材料１０４は、液体がそこを通過するのを防ぎながら、蒸気を吸収性コアから逃がすことができるように通気性があってもよい。通気性裏面シート材料の例は、多孔質高分子フィルム、スパンボンド及びメルトブローン層による不織積層体、多孔質高分子フィルム及び不織布による積層体である。
【００８７】
吸収性コア素材は、あらゆる従来の種類のものであってもよい。普通に生じる吸収材料の例は、セルロース系綿毛パルプ、組織層、高吸収ポリマー（超吸収性物品と呼ぶ）、吸収発泡材料、吸収不織材料などである。吸収性コア内でセルロース系綿毛パルプを超吸収ポリマーと組み合わせることは普通である。超吸収ポリマーは、０．９重量％の塩化ナトリウムを含む水溶液中に少なくとも約２０倍の重量を吸収することが可能である、水膨潤性、非水溶性有機又は無機材料である。超吸収材料として使用するのに適した有機材料としては、多糖類、ポリペプチドなどの天然材料と、合成ヒドロゲルポリマーなどの合成材料を挙げることができる。このようなヒドロゲルポリマーとしては、例えば、ポリアクリル酸のアルカリ金属塩、ポリアクリルアミド、ポリビニルアルコール、ポリアクリレート、ポリアクリルアミド、ポリビニルピリジンなどが挙げられる。他の適切なポリマーとしては、加水分解アクリロニトリル移植でんぷん、アクリル酸移植でんぷん、及びイソブチレン無水マレイン酸コポリマー、及びその混合物が挙げられる。ヒドロゲルポリマーは、材料をほぼ非水溶性にするように軽く架橋されていることが好ましい。好ましい超吸収材料はさらに、超吸収粒子、繊維、薄片、球体などの外側表面又は外殻が、超吸収性物品の内側部分より高い架橋密度を有するように表面架橋されている。超吸収材料は、粒子、繊維、薄片、球体などを含む吸収合成物で使用するのに適したあらゆる形をしていてもよい。
【００８８】
高い吸収容量が、大量の超吸収材料の使用により与えられる。セルロース系繊維及び超吸収材料などの、親水性繊維の基質を含む吸収性コアでは、超吸収材料の割合は、１０から９０重量％の間であることが好ましく、より好ましくは３０から７０％の間である。
【００８９】
吸収性コアは、液体受け容量、液体分配容量、及び貯蔵容量に関して、異なる性状を有する異なる材料の層を含むことができる。例えば、乳幼児のオムツ及び尿失禁パッドで一般的である、薄い吸収性物品はしばしば、セルロース系綿毛パルプ及び超吸収ポリマーの圧縮混合又は層状構造を含んでいる。吸収性コアの寸法及び吸収容量は、乳幼児用、又は大人の失禁者用などの異なる使用に適するように変えることができる。
【００９０】
吸収性コアとして有用である吸収材料の他の例は、エアレイドティッシュ及び不織及び空気乾燥ティッシュなどのロール材料の積層体、及び超吸収材料の内側層又はストリングが前記ロール材料の外側層の間に存在する超吸収材料である。異なる層は、例えば糊、又は熱結合によって互いに結合されている。
【００９１】
例示した従来技術の製品では、吸収性コアは、二層、すなわち内側層８及び下側層９を備えている。他の実施形態では、一つの層だけ、又は三つ以上の層が存在していてもよい。さらに、「上側層」８及び「下側層」９はそれぞれ、一つ又は複数の材料層を含むことができる。
【００９２】
液体輸送層１０５は、表面シート１０３と吸収性コア素材の間に配置することができる。輸送層は、例えば、繊維状詰物、カード式繊維状ウェブ、麻くず材料、又は高い瞬間液体受け容量を有し、下にある吸収性物品によって吸収される前に一時的に液体を貯めることができる他のタイプのかさばる弾力性のある繊維状材料の形の、多孔質で弾力性があり比較的厚い材料層である。液体輸送層はさらに、多孔質発泡材料の形をしていてもよい。さらに、二つ以上の材料層からなっていてもよい。輸送層の坪量は、２０から１００g／ｍ２、好ましくは３０から８０g／ｍ２の間である。
【００９３】
吸収性物品は、着用者の下着に吸収性物品を締め付けることを可能にするように、その衣類側面に接着剤を備えることができる。この場合、吸収性物品１の衣類側面は側部７には接着剤がないことが好ましく、それによって側部７は下着によるその折り畳みが制限されない。
【００９４】
＜曲げ剛性試験＞
この方法は、特定の曲げで折り畳まれた場合に、吸収性物品の曲げ剛性又は耐性を測定することを意図している。本出願の文脈では、この方法は、吸収性物品が下着内に配置された場合に、身体の形状への調節に適した吸収性物品を形成するために、製品の側部及び中心部の特徴を記載するのに使用される。測定方法は、乾燥成形リールコア部を備えた生理用ナプキン、高密度コア部を備えたパンティライナー、及びコア部のないパンティライナーなどの薄い製品で前に使用されている。
【００９５】
図７は、曲げ剛性試験を行うために使用する機器の略側面図である。図８は、図７と垂直に見た、別の略側面図である。
【００９６】
機器は、測定する吸収性物品１を支持する基部固定具２０１と、基部固定具２０１上に載っている場合に、吸収性物品１の上で下げられる上側固定具２０２とを備えている。
【００９７】
基部固定具２０１は、引張検査装置に取り付けるためのホルダを含む基部手段２０７を備えている。基部手段２０７は、二つの支持手段２０３ａ及び２０３ｂを備えている。各支持手段２０３ａ、２０３ｂは、２本のほぼ垂直棒と、２本のほぼ垂直棒の間に水平に延びる水平棒２０４とを備えている。支持手段２０３ａ、２０３ｂは、互いに向かっていくらか傾くような状態で基部手段２０７に取り付けられている。したがって、基部手段２０７の支持手段２０３ａ、２０３ｂの中心の間の距離は約８７ｍｍであり、水平棒２０４ａ、２０４ｂの支持手段２０３ａ、２０３ｂの中心の間の距離は４０ｍｍだけである。水平棒２０４ａ、２０４ｂは、水平及び平行に延びている。
【００９８】
水平棒２０４ａ、２０４ｂは、Ｔｅｆｌｏｎ（登録商標）で覆われており、１０ｍｍの直径を備えた円形断面を有する（Ｔｅｆｌｏｎを含む）。水平棒の表面は円滑である。
【００９９】
上側固定具２０２は、引張試験装置に取り付けるためのホルダ２０６と、金属ワイヤ構造２０５とを備えている。金属ワイヤ構造２０５は、基部取付具に向かって下がる場合に、製品１と接触する水平部を備えている。水平部は、１４０ｍｍの長さを有する。その二つの端部では、水平部が、５０ｍｍの長さを有する、垂直に延びるワイヤ部に取り付けられている。その後、ワイヤ部はまた、５０ｍｍの長さを有する角度付けしたワイヤ部に続き、互いに向かって傾き、それによって角度付けしたワイヤ部の上端部は９０ｍｍの距離だけ離れている。角度付けしたワイヤ部はそれぞれ、５０ｍｍの長さを有する第二の水平ワイヤ部が続く。最後に、第二の水平ワイヤ部は固定部材２０６に取り付けられている。固定部材２０６での第二の水平ワイヤ部間の距離はしたがって、９０ｍｍである。
【０１００】
金属ワイヤは、３ｍｍの直径を有し、剛性及び不可撓性材料でできている。上側固定具２０２は、基部固定具２０１に対して配置されており、それによってワイヤ構造２０５は水平支持体２０４ａ、２０４ｂは垂直である。
【０１０１】
試験では、固定具２０１、２０２は引張試験装置に取り付けられている。上側固定具は、基部固定具の基部２０７の上に載っている場合に水平金属ワイヤと試料の最上側の間の距離が、約２ｍｍであるように調節される。この距離で、試料は基部固定具上に容易に位置決めすることができる。試料は、上側固定具は試料の中間に衝突するように位置決めされるものとする。
【０１０２】
試験では、上側固定具は２００ｍｍ／分の速度で試料に向かって下げられて、水平支持体の間で製品を下に押し下げる。試験は、製品全体が支持体の間に押し下げられた場合に終了する。
【０１０３】
試験する吸収性物品が剥離紙によって覆われた接着剤を備えている場合、剥離紙が取り除かれ、接着剤はタルクの粉が付けられ、それによって接着剤による粘性は検査の前に維持されない。
【０１０４】
試料は、試験の前に、２３±２℃及び５０±５％の相対湿度で少なくとも４時間調整するものとする。
【０１０５】
各試験では、得られる最大力を記録する。
【０１０６】
試験の際に得られる力は、Ｔｅｆｌｏｎ被覆基部固定具の上に載っている試料が、上側固定具の下向きに移動する金属ワイヤによってその中に下向きに折り畳まれる場合の抵抗として定義される。
【０１０７】
使用器具：
引張試験装置：例えば、Ｌｌｏｙｄ・ＬＲＸ
負荷セル:２０Ｎ
速度:２００ｍｍ／分
【０１０８】
＜厚さ測定＞
本発明による四つの製品の厚さを、従来の方法で、０．５ｋＰａの圧縮圧力を使用して測定した。
【０１０９】
結果
本発明による四つの製品の側部及び中心部の曲げ剛性を、上に記載した方法を使用して測定した。
【０１１０】
試験の前に、側部を各吸収性物品の中心部から切断した。
【０１１１】
その後、側部を試験機器の水平棒上の長手縁部に載せ、ワイヤ構造が側部の他の長手縁部と垂直であるようにワイヤ構造を側部に向けて下げた。
【０１１２】
中心部の曲げ剛性は、中心部を衣類面側は下を向けた状態で、試験機器の水平棒上に平らに配置された状態で測定した。中心部は、ワイヤ構造が中心部の長さ方向に沿って延びて、中心部を二つの長手半分に「分割」するように配置した。
【０１１３】
この特定の方法で上に記載したような曲げ剛性の使用は、製品が使用者の太腿の間で圧縮を受ける場合に、側部及び／又は中心部の折り目ではなく、側部の折り畳みを達成するために、中心部の剛性に対する側部の剛性の要件を示すのに有用であると考えられる。側部及び中心部に対して得られる値は、すぐには比較可能ではないことが分かる。比較可能な値を得るためには、側部を長手方向にも測定することが、実際により適切である可能性がある。しかし、このような測定は実際に不便であるので、側部がその長手縁部上に配置され、横に圧縮される上記測定によって置き換えた。それにも関わらず、選択した方法は、製品の変形性状を評価するのに適切である値を与えると考えられる。
【０１１４】
最大負荷結果は、以下の表１で見られる。
【０１１５】
【表１】
2009519096.tif 000003
【０１１６】
中心部に対する平均最大負荷は、０．６２Ｎである側部に対する断面方向の平均最大負荷と比較することができる、８．１Ｎであることが分かった。したがってこの場合、側部の吸収性物品の最大負荷は平均で、本明細書で測定したように、中心部での吸収性物品の最大負荷の約７．９％である。他の吸収性物品とは僅かに異なる値を示す吸収性物品３を無視して、値は約６．２％でむしろ一定であることが分かった。したがって、５．５％と７％の間の値は、特に有用であると考えられる。
【０１１７】
最大負荷の測定は、製品の不規則、及び試験過程の誤差に敏感である可能性がある。例えば、製品の衣類面側の接着剤へタルクを不十分に与えることは、製品の衣類面側の折り目と同様に、誤った値につながる可能性がある。
【０１１８】
上に記載したものより幅広い製品を試験するために、より長い水平棒と、より長い水平ワイヤ部を使用することもできる。
【０１１９】
側部及び中心部の厚さを測定するために、四つの対応する製品を使用した。この場合、各吸収性物品の側部両方の厚さを測定した。
【０１２０】
中心部の厚さは、中心部自体の中心で、すなわち吸収性物品全体の中間突起の中心で測定した。側部の厚さは、各側部の中心で測定した。厚さ測定は、曲げ剛性試験のために、製品を部分に切断する前に行うものとする。
【０１２１】
厚さ測定の結果は、以下の表２で見られる。
【０１２２】
【表２】
2009519096.tif 000004
【０１２３】
中心部に対する平均厚さは、６．７５ｍｍである側部に対する平均厚さと比較することができる、１１．４５ｍｍであることが分かった。したがってこの場合、側部の吸収性物品の厚さは、断面方向で測定したときの、中心部での吸収性物品の厚さの約５９％である。
【０１２４】
したがって、測定した吸収性物品の側部の厚さは、中心部の厚さの約５９％になり、側部の曲げ剛性は中心部の曲げ剛性の約７．９％である（最大負荷で示した場合）。
【０１２５】
本発明のいくつかの実施形態及び変更形態が可能であることが分かるだろう。吸収性コアの形状は、二つのコア部を使用する場合に、上側及び下側コア部の個別の形状と同様に、変えることができる。側部は、二つのコア部からの材料を含むことができ、二つのコア部の長さを変えることができる。圧縮線は、一つのコア部のみ、又は二つのコア部を通して、上側コア部及び表面材料に制限することができる。さらに、追加のコア部を使用することもできる。製品の異なる層の材料は、異なる層の厚さ及び配置と同様に変えることができる。
【０１２６】
さらに、各特徴に関して記載した利点を達成するために、組み合わせた場合に非常に有利な結果を与えるが、本発明に関して記載した特徴のいくつかの機能を別々に使用することができることが分かる。
【図面の簡単な説明】
【０１２７】
【図１】本発明の一実施形態による、吸収性物品の略上面図である。
【図２】吸収性物品の吸収性コア部のみを示す、図１の線ＩＩ−ＩＩに沿った断面図である。
【図３】本発明の第二の実施形態による、吸収性物品の略上面図である。
【図４】吸収性物品の吸収性コア部のみを示す、図３の線ＩＶ−ＩＶに沿った断面図である。
【図５】表面シートなどに関するさらなる詳細を含む、図１の物体の上面図である。
【図６】図５の線ＶＩ−ＶＩに沿った断面図である。
【図７】本明細書に記載するような、曲げ剛性試験に使用される検査機器を示す略図である。
【図８】本明細書に記載するような、曲げ剛性試験に使用される検査機器を示す略図である。
【符号の説明】
【０１２８】
１    尿失禁パッド
２    突起
３    突起
４    突起
５    折り線
６    中心部
７    長手側部
８    上側吸収性コア
９    下側吸収性コア
１０３    液体透過表面シート
１０４    液体遮断裏面シート材料
１０５    液体輸送層
２０１    器具固定具
２０２    上側固定具
２０３ａ    支持手段
２０３ｂ    支持手段
２０４    水平棒
２０４ａ    水平棒、水平支持体
２０４ｂ    水平棒、水平支持体
２０５    金属ワイヤ構造
２０６    ホルダ、固定部材
２０７    基部手段
ａ    長さ
ｂ    長さ
ｃ    長さ
ｄ    最大幅
ｅ    幅
ｆ    距離
Ｌ    全長
【図１】
2009519096.tif 000005
【図２】
2009519096.tif 000006
【図３】
2009519096.tif 000007
【図４】
2009519096.tif 000008
【図５】
2009519096.tif 000009
【図６】
2009519096.tif 000010
【図７】
2009519096.tif 000011
【図８】
2009519096.tif 000012
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
長さが幅より大きい、長さおよび幅延長部を有し、吸収性コア材料を備えた吸収性物品、より詳細には尿漏れ防止パッドであって、
前記吸収材料の外側長手縁部は、三つの凸状突起（２、３、４）を形成し、
一対の折り線（５）が、前記三つの突起（２、３、４）のうちの中間突起（３）の端部間に延びて、前記吸収性コア材料を中心部（６）と一対の長手側部（７）とに分割し、前記中間突起の前記最大幅（ｄ）と隣接する折り線（５）との間の距離（ｆ）は３０ｍｍ未満であり、
それによって、吸収性物品（１）が使用される場合、前記折り線（５）は普通、薄膜腱から始まり会陰領域で終わる、使用者の股領域に沿って延びるように概して位置決めされ、よって前記側部（７）は、前記吸収性物品（１）の横方向から見るとアーチ形を形成するように前記使用者に向かって前記中心部（６）から延びることができ、吸収性物品（１）の衣類に面する側は前記側部（７）においては接着剤がないことを特徴とする吸収性物品。
【請求項２】
前記中間突起（３）の前記長手端部間の長さ（ｂ）は、約６０から１７０ｍｍ、好ましくは８０から１４０ｍｍ、最も好ましくは９０から１３０ｍｍであることを特徴とする請求項１に記載の吸収性物品。
【請求項３】
前記中間突起（３）は、前記吸収性物品の全長（Ｌ）の約３分の１に沿って延びていることを特徴とする請求項１または２に記載の吸収性物品。
【請求項４】
各突起（２、３、４）は、前記吸収性物品の前記全長（Ｌ）の約３分の１に沿って延びていることを特徴とする請求項３に記載の吸収性物品。
【請求項５】
前記中間突起（３）の最大幅（ｄ）は、６０〜１５０ｍｍ、好ましくは７０〜１３０ｍｍ、最も好ましくは８０〜１２０ｍｍであることを特徴とする請求項１から４のいずれか一項に記載の吸収性物品。
【請求項６】
前記中間突起の端部の一方の幅（e）によって分割された前記中間突起（３）の最大幅（ｄ）は、１１０から１８０％の間、好ましくは１１０から１５０％の間、最も好ましくは１１０から１３０％の間であることを特徴とする請求項１から５のいずれか一項に記載の吸収性物品。
【請求項７】
前記中間突起の前記最大幅（ｄ）と隣接する折り線（５）との間の距離（ｆ）は、１０から３０ｍｍの範囲、好ましくは１５から２５ｍｍの範囲であることを特徴とする請求項１から６のいずれか一項に記載の吸収性物品。
【請求項８】
前記吸収性物品の最小幅は、前記中間突起（３）の前記端部のいずれかで測定された幅であることを特徴とする請求項１から７のいずれか一項に記載の吸収性物品。
【請求項９】
前記中間突起の前記二つの端部の幅は、基本的に同じであることを特徴とする請求項１から８のいずれか一項に記載の吸収性物品。
【請求項１０】
前記中間突起の前記端部の前記幅は、３０から１００ｍｍ、好ましくは４０から９０ｍｍ、最も好ましくは６０から８５ｍｍの範囲であることを特徴とする請求項１から９のいずれか一項に記載の吸収性物品。
【請求項１１】
前記三つの突起（２、３、４）それぞれの最も幅広い部分の位置での前記吸収性物品の長手側部に位置決めされた三点は、直線に沿って位置決めされていることを特徴とする請求項１から１０のいずれか一項に記載の吸収性物品。
【請求項１２】
前記三つの突起（２、３、４）の前記最大幅は、ほぼ同じであることを特徴とする請求項１から１１のいずれか一項に記載の吸収性物品。
【請求項１３】
前記折り線（５）は前記吸収材料の圧縮によって形成されることを特徴とする請求項１から１２のいずれか一項に記載の吸収性物品。
【請求項１４】
前記折り線（５）は、前記側部（７）の前記吸収材料を前記中心部（６）の前記吸収材料から完全に分けることを特徴とする請求項１３に記載の吸収性物品。
【請求項１５】
前記折り線（５）は、前記側部（７）の前記吸収材料を前記中心部（６）の前記吸収材料から部分的にのみ分けることを特徴とする請求項１３に記載の吸収性物品。
【請求項１６】
前記吸収性コア材料は、上側吸収性コア（８）および下側吸収（９）を含んでいることを特徴とする請求項１から１５のいずれか一項に記載の吸収性物品。
【請求項１７】
前記上側および下側吸収性コア（８、９）の一方は、前記吸収性物品の前記中間突起（３）で測定されるときに、前記上側および下側吸収性コア（８、９）のもう一方より幅広いことを特徴とする請求項１６に記載の吸収性物品。
【請求項１８】
前記折り線（５）は、前記上側および下側吸収性コア（８、９）の最も幅広くないものの長手側部に沿って延びており、それによって前記側部（７）は基本的に、前記吸収性コア（８、９）の一方のみからの吸収材料を含んでいることを特徴とする請求項１７に記載の吸収性物品。
【請求項１９】
前記上側および下側吸収性コア（８、９）の一方は、前記吸収性物品（１）の長手方向で測定されるときに、前記上側および下側吸収性コア（８、９）のもう一方より長いことを特徴とする請求項１６から１８のいずれか一項に記載の吸収性物品。
【請求項２０】
前記中間突起（３）で測定した前記コア部（８、９）の最も幅広くないものは、ほぼ砂時計形をしていることを特徴とする請求項１７から１９のいずれか一項に記載の吸収性物品。
【請求項２１】
前記中間突起（３）で測定した前記コア部（８、９）の最も幅広いものは、ほぼ円形または楕円形をしていることを特徴とする請求項１７から２０のいずれか一項に記載の吸収性物品。
【請求項２２】
前記側部（７）での前記吸収性物品の厚さは、前記中間突起（３）での前記中心部（６）の厚さより小さいことを特徴とする請求項１から２１のいずれか一項に記載の吸収性物品。
【請求項２３】
前記側部（７）での前記吸収性物品（１）の厚さは、前記中心部（６）の前記中間突起（３）での前記吸収性物品（１）の厚さの４０から８０％の間、好ましくは５０から７０％の間、最も好ましくは５５から６５％の間であることを特徴とする請求項２２に記載の吸収性物品。
【請求項２４】
前記側部（７）での前記吸収性物品の厚さは、前記下側吸収性コア（９）および前記上側吸収性コア（８）の一方のみの厚さを含み、前記中心部（６）の前記中間突起（３）での前記吸収性物品（１）の厚さは、前記下側吸収性コア（９）プラス前記上側吸収性コア（８）の厚さを含んでいることを特徴とする請求項２２および請求項１８に記載の吸収性物品。
【請求項２５】
前記側部（７）での前記吸収性物品（１）の曲げ剛性は、本明細書に記載する方法により測定すると、前記中心部（６）の前記中間突起（３）での前記吸収性物品（１）の曲げ剛性の３から２０％の間、好ましくは４から１５％の間、最も好ましくは４から１０％の間であることを特徴とする請求項１から２４のいずれか一項に記載の吸収性物品。
【請求項２６】
本明細書に記載する方法により測定した、前記側部（７）での前記吸収性物品（１）の曲げ剛性は、０.３５から１.１の間であることを特徴とする請求項１から２５のいずれか一項に記載の吸収性物品。
【請求項２７】
本明細書に記載する方法により測定した、前記中間突起（３）での前記中心部（６）での前記吸収性物品（１）の曲げ剛性は、６.５から１０.１の間であることを特徴とする請求項１から２６のいずれか一項に記載の吸収性物品。
【請求項２８】
前記折り線（５）は、前記三つの突起（２、３、４）のうちの前記中間突起（３）の前記端部間に凹状に延びていることを特徴とする請求項１から２７のいずれか一項に記載の吸収性物品。
【国際調査報告】
2009519096.tif 000013
2009519096.tif 000014
2009519096.tif 000015
2009519096.tif 000016
2009519096.tif 000017